(57)【要約】【課題】送電線に対する接続箇所に取付けられている二つのカバー体間に隙間があるか否かを、路上から容易に視認できる絶縁カバーを提供する。【解決手段】本発明は、ヒンジ部１２を対称軸として対称位置に配置された開閉可能な同一色の二つのカバー体１０，１１であって、接離可能に構成された互いに対向する対向端縁部を有する二つのカバー体１０，１１を備え、閉じられた状態の二つのカバー体１０，１１の隣接する対向端縁部１０ａ，１１ａの外面に、カバー体１０，１１とは異なる色の目的ラインＲを、対向端縁部１０ａ，１１ａの外面に沿うように設けることで、送電線に対し取付けられている二つのカバー体１０，１１間に隙間があるか否かを、路上から視認する。【選択図】図２
2019149910.tif 000002
【特許請求の範囲】
【請求項１】
ヒンジ部を中心に対称位置に配置され、該ヒンジ部を介して開閉可能に連結される同一色の二つのカバー体であって、前記開閉動作に伴って接離可能に構成された互いに対向する対向端縁部を有する二つのカバー体を備え、
前記対向する対向端縁部それぞれの外面には、前記カバー体とは異なる色の目的ラインが、前記対向端縁部に沿うように設けられており、該一対の目的ラインは、二つのカバー体を閉じた状態としたときに、一本のライン又は、略平行な二本のラインとなるように構成されていることを特徴とする絶縁カバー。
【請求項２】
前記目的ラインは、前記対向する対向端縁部の外面全体に設けられていることを特徴とする請求項１に記載の絶縁カバー。
【発明の詳細な説明】
【技術分野】
【０００１】
本発明は、電柱間に架設される送電線を覆う絶縁カバーに関する。
【背景技術】
【０００２】
従来より、この種の絶縁カバーは、電柱間に架設される送電線における、送電線同士の接続箇所、低圧線引下箇所、引留箇所などの接続箇所に、間接活線工具（ヤットコや絶縁操作棒）を用いて取付けられている。
【０００３】
前記各接続箇所では、露出された送電線の芯線と他の電材（電線や碍子）とを接続金具（スリーブや引留クランプ）により接続するため、この接続部が充電部として露出するため絶縁カバーで覆うことによって絶縁保護されている。図８に示す絶縁カバー５は、送電線同士をスリーブによって導通接続する接続箇所に使用される。該絶縁カバー５は、ヒンジ部を対称軸として対称位置に配置された開閉可能な二つのカバー体５０，５１を備えている。各カバー体５０，５１は、樹脂成型品で、全体を一色（例えば黒色）に着色されている（特許文献１参照）。
【０００４】
このように構成された絶縁カバー５を前記接続箇所に取付ける場合、作業者は、間接活線工具を用いて、二つのカバー体５０，５１を開いた状態にし、前記接続箇所に対しヒンジ部を上方に位置させた状態で二つのカバー体５０，５１を上側から跨ぐように覆い被せ、ヒンジ部を介して二つのカバー体５０，５１を閉じた状態にしている。
【先行技術文献】
【特許文献】
【０００５】
【特許文献１】特開２０１３−１６２５９５号公報
【発明の概要】
【発明が解決しようとする課題】
【０００６】
ところで、前記従来の絶縁カバーは、前記接続箇所に対し二つのカバー体が閉じられた状態で取付けられているが、素材自体の経年劣化や、作業者の取付ミスにより二つのカバー体５０，５１間に隙間が生じた状態で取付けられている場合がある。この場合、充電部が露出することになるため、二つのカバー体５０，５１間に隙間があるか否かを、路上からの目視により定期的に点検が行われている。
【０００７】
しかしながら、二つのカバー体５０，５１は単色（黒色）であるため、二つのカバー体５０，５１間の内部空間は光を遮られて暗所となっている。このことから、路上からの目視では、作業者には、二つのカバー体５０，５１間に隙間が生じていることを視認することが難しい。
【０００８】
そこで、本発明は、送電線に対する接続箇所に取付けられている二つのカバー体間に隙間があるか否かを、路上から容易に視認できる絶縁カバーを提供することを目的とする。
【課題を解決するための手段】
【０００９】
本発明の絶縁カバーは、ヒンジ部を中心に対称位置に配置され、該ヒンジ部を介して開閉可能に連結される同一色の二つのカバー体であって、前記開閉動作に伴って接離可能に構成された互いに対向する対向端縁部を有する二つのカバー体を備え、前記対向する対向端縁部それぞれの外面には、前記カバー体とは異なる色の目的ラインが、前記対向端縁部に沿うように設けられており、該一対の目的ラインは、二つのカバー体を閉じた状態としたときに、一本のライン又は、略平行な二本のラインとなるように構成されていることを特徴とする。
【００１０】
上記構成を備えた絶縁カバーでは、送電線に絶縁カバーを取付ける場合、二つのカバー体を開いた状態にし、送電線に対しヒンジ部を上方に位置させた状態で二つのカバー体を上側から跨ぐように覆い被せ、ヒンジ部を介して二つのカバー体の対向端縁部同士を当接させ、二つのカバー体を閉じた状態にする。送電線に対し二つのカバー体が正常に閉じられた状態で取付けられている場合では、目的ライン同士は一本のライン又は二本のラインとなる。経年劣化や作業ミスにより、二つのカバー体の隣接する対向端縁部間の一部が開いた状態では、目的ライン同士間に隙間が形成される、又は二本のライン略平行関係がくずれるため、作業者は、二つのカバー体が開いた状態になっていることを路上から容易に視認できる。
【００１１】
本発明においては、前記目的ラインは、前記対向する対向端縁部の外面全体に設けられていてもよい。
【００１２】
上記構成を備えた絶縁カバーでは、二つのカバー体が閉じられた状態において、隣接する対向端縁部のどの部分に隙間が形成されたとしても、作業者は、隣接する対向端縁部の目的ラインの状態を視認することで、二つのカバー体が正常に閉じているか否かを路上から視認しやすくなる。
【発明の効果】
【００１３】
本発明に係る絶縁カバーは、送電線に対し閉じられた状態で取付けられている二つのカバー体間に隙間があるか否かを、路上から容易に視認できる。
【図面の簡単な説明】
【００１４】
【図１】図１は、本発明の一実施形態に係る送電線同士を接続する接続箇所に使用される絶縁カバーを示した正面図。
【図２】図２は、図１の底面図。
【図３】図３（ａ）は、二つの対向端縁部の一部が開いた状態を示した図。図３（ｂ）は、図１のＩＩＩ−ＩＩＩ線断面図であり、目的ラインが対向端縁部のエッジ部まで設けられている状態を示した要部断面図。
【図４】図４は、本発明の他の実施形態に係る引留箇所に使用される絶縁カバーを示した正面図。
【図５】図５は、図４の底面図。
【図６】図６は、本発明の他の実施形態に係る引下線接続箇所に使用される絶縁カバーを示した正面図。
【図７】図７は、図５の底面図。
【図８】図８は、従来の絶縁カバーを示した図。
【発明を実施するための形態】
【００１５】
本発明の実施形態に係る絶縁カバーについて説明する。送電線同士を接続する接続箇所、送電線引留箇所、引下線接続箇所に本発明の絶縁カバーを適用する場合について順次説明する。はじめに、接続金具（スリーブ）を用いて二つの送電線を導通接続した接続箇所に使用する絶縁カバーについて説明する。接続箇所では、スリーブの両側の開口端のうち、一方の開口端から一方の送電線の端部（露出された芯線）が挿入され、他方の開口端から他方の送電線の端部（露出された芯線）が挿入され、この状態でスリーブが圧縮され、二つの送電線が導通接続されている。
【００１６】
図１および図２に示すように、絶縁カバー１は、同一色（例えば黒色）の略半筒状の二つのカバー体１０，１１と、両カバー体を開閉可能に連結するヒンジ部１２とを備える。一方のカバー体１０は、軸線に沿う対向端縁部１０ａと、連結端縁部１０ｂとを有する。他方のカバー体１１は、軸線に沿う対向端縁部１１ａと、連結端縁部１１ｂとを有する。絶縁カバー１は、一方のカバー体１０の連結端縁部１０ｂと、他方のカバー体１１の連結端縁部１１ｂとがヒンジ部１２を介してヒンジ連結されており、該ヒンジ部１２を対称軸として対称位置に配置されている。二つのカバー体１０，１１は、ヒンジ部１２を介して開閉することで、一方の対向端縁部１０ａと、他方の対向端縁部１１ａとを互いに突き合わせて係止することで閉じられて円筒体を構成する。
【００１７】
一方のカバー体１０の対向端縁部１０ａには、複数の係止体１３が所定の間隔をおいて他方のカバー体１１の対向端縁部１１ａに向かって形成されている。他方のカバー体１１の対向端縁部１１ａには、前記各係止体１３が係止可能な係止穴１４が形成されている。また、一方のカバー体１０の対向端縁部１０ａには、間接活線工具により摘持される摘持部１５が外方に向かって突設されている。
【００１８】
二つのカバー体１０，１１が円筒体を構成した閉じた状態において、隣接する対向端縁部１０ａ，１１ａの外面全体には、該各対向端縁部１０ａ，１１ａの外面全体に沿うように、カバー体１０，１１とは異なる色（例えば白色）の目的ラインＲ，Ｒが設けられている。本実施形態の目的ラインＲは、各対向端縁部１０ａ，１１ａに形成されている係止体１３の外面部が係止穴１４の外面にも設けられており、略一定幅の直線状のラインである。また、目的ラインＲは、図３（ｂ）に示すように、対向端縁部１０ａのエッジ部Ａおよび対向端縁部１１ａのエッジ部Ｂまで設けられている。よって、絶縁カバーを閉じた状態では、一方の目的ラインと他方の目的ラインとで一本のラインを形成する。目的ラインＲ，Ｒとしては、例えば各対向端縁部１０ａ，１１ａの外面全体に沿って所望の色の塗料を塗布してもよく、各対向端縁部１０ａ，１１ａの外面全体に沿って所望の色に着色されたテープを貼着してもよい。また、夜間でも視認できるように、蛍光塗料、蓄光塗料、蛍光テープ、蓄光テープを使用してもよい。
【００１９】
このような円筒状の絶縁カバー１は、一方の送電線の端部と、他方の送電線の端部と、各送電線の端部の露出された芯線を導通接続した接続金具（スリーブ）とを覆う略円筒状の本体部１００と、該本体部１００の軸線方向の一側に形成された電線を引込むための略円錐台形状の引込部１０１と、他側に形成された電線を引出すための略円錐台形状の引出部１０２とを備える。本体部１００、引込部１０１、および引出部１０２は互いに連通している。
【００２０】
つぎに本実施形態に係る絶縁カバー１の使用方法について説明する。接続箇所では、スリーブにより二つの送電線が導通接続されている。作業者は、前記接続箇所に対し、絶縁カバー１のヒンジ部１２を上側にし、一方のカバー体１０の対向端縁部１０ａおよび他方のカバー体１１の対向端縁部１１ａを下側にして、二つのカバー体１０，１１を上方から跨ぐように覆い被せ、他方のカバー体１１の各係止穴１４に、一方のカバー体１０の各係止体１３を係止させ、一方のカバー体１０の一方の対向端縁部１０ａと、他方のカバー体１１の対向端縁部１１ａとを当接させ、二つのカバー体１０，１１を閉じた状態にして円筒体を構成する。取付作業が正しく完了した場合には、一方の目的ラインＲと、他方の目的ラインＲとが線幅方向でつながって一本のラインのように見える。
【００２１】
本実施形態では、目的ラインＲは、カバー体１０，１１の対向端縁部１０ａ，１１ａに沿って設けられている。カバー体１０では、目的ラインＲは、対向端縁部１０ａにおいて摘持部２１６を含め、その外周部全域にわたり、対向端縁部１１ａの合わせ面に設けられている。カバー体１１では、目的ラインＲは、対向端縁部１１ａにおいて、係止穴２０５および摘持部１５を含め、その外周部全域にわたり、対向端縁部１０ａの合わせ面に設けられている。
【００２２】
本実施形態における絶縁カバー１では、点検の際、作業者は、二つのカバー体１０，１１の隣接する対向端縁部１０ａ，１１ａに沿って設けられた目的ラインＲ，Ｒが一本のラインを形成しているか否かで、二つのカバー体１０，１１が閉じた状態であるか否かを判断する。取付作業が正しく完了した場合には、図２に示すように、係止体１３が係止穴１４に嵌合することで、路上の作業者において、一方の目的ラインＲと、他方の目的ラインＲとが、対向端縁部１０ａ，１１ａの方向につながって二本合わせられて一本のラインのように見える。図３（ａ）に示すように、二つのカバー体１０，１１が不完全な状態で閉じられていると、目的ラインＲ，Ｒが離間する方向に離れて、作業者には、その間に隙間が生じて不完全な状態で閉じられていることが分かり、間接活線工具を用いて、修復することができる。
【００２３】
つぎに他の実施形態について、引留箇所に使用される絶縁カバーについて説明する。引留箇所では、露出させた送電線の芯線と、電柱に取付けられた碍子とが接続金具（引留クランプ）によって接続される。該接続金具は、露出させた送電線の芯線に接続される芯線接続部と、該芯線接続部に連設された、碍子の連結部材に接続される碍子接続部とを備える。
【００２４】
図４および図５に示すように、この実施形態に係る絶縁カバー２は、同一色（例えば黒色）の略三角形状の輪郭を呈した二つのカバー体２０，２１と、両カバー体２０，２１を開閉可能に連結するヒンジ部２２とを備える。該二つのカバー体２０，２１は、前記ヒンジ部２２として互いの斜辺（一方のカバー体２０の連結端縁部２０ｂと他方のカバー体２１の連結端縁部２１ｂ）を連結して構成され、ヒンジ部２２を対称軸として対称位置に配置されている。また、一方のカバー体２０の対向端縁部２０ａと、他方のカバー体２１の対向端縁部２１ａとが接離可能に構成される。なお、対向端縁部２０ａ，２１ａを水平に置いた場合に、連結端縁部２０ｂ，２１ｂは、略三角形状の斜辺となり、対向端縁部２０ａ，２１ａは、略三角形状の長辺となる。
【００２５】
各カバー体２０，２１のそれぞれ中央部には、前記芯線接続部を覆うことができるよう、前記芯線接続部に対応した形状に形成された本体部２００，２１０と、該本体部２００，２１０を挟んだ両側のうちの一側に形成された送電線を引込むための略円錐台形状の引込部２０１，２１１と、斜辺の他側に形成された送電線を引出すための略円錐台形状の引出部２０２，２１２と、斜辺の引出部２０２，２１２に連設された前記碍子接続部を覆う被覆部２０３，２１３とを備える。本体部２００，２１０と、引込部２０１，２１１と、引出部２０２，２１２と、被覆部２０３，２１３とは互いに連通している。
【００２６】
一方のカバー体２０の対向端縁部２０ａには、複数の突片２０４が、所定の間隔をおいて直交方向に外方に向かって一対で設けられている。各突片２０４には、係止穴２０５が形成されている。他方のカバー体２１の対向端縁部２１ａには、複数の突片２１４が所定の間隔をおいて直交方向に外方に向かって突設されている。各突片２１４の内面には、係止穴２０５に係止可能な係止体２１５が突設されている。
【００２７】
一方のカバー体２０の対向端縁部２０ａにおいて、突片２０４，２０４間には、間接活線工具により摘持される摘持部２０６が、二つのうちの一方の突片２０４寄りに、直交方向に外方に沿って突設されている。他方のカバー体２１の対向端縁部２１ａにおいて、突片２１４，２１４間には、間接活線工具により摘持される摘持部２１６が、二つのうちの他方の突片２１４寄りに、直交方向に外方に沿って突設されている。
【００２８】
つぎに引留箇所に使用される絶縁カバー２の使用方法について説明する。引留箇所では、露出させた送電線の芯線と、電柱に取付けられた碍子とが接続金具（引留クランプ）によって接続されている。作業者は、間接活線工具を用い、前記引留箇所に対し、絶縁カバー２のヒンジ部２２を上側にし、一方のカバー体２０の対向端縁部２０ａおよび他方のカバー体２１の対向端縁部２１ａを下側にして、二つのカバー体２０，２１を上方から跨ぐように覆い被せ、一方のカバー体２０の各係止穴２０５に、他方のカバー体２１の各係止体２１５を係止させ、一方のカバー体２０の対向端縁部２０ａと他方のカバー体２１の他方の対向端縁部２１ａとを当接させる。
【００２９】
本実施形態では、目的ラインＲは、カバー体２０，２１の対向端縁部２０ａ，２１ａに沿って設けられている。目的ラインＲは、対向端縁部２０ａのエッジ部Ａおよび対向端縁部２１ａのエッジ部Ｂまで設けられている。カバー体２０では、目的ラインＲは、対向端縁部２０ａにおいて、突片２０４および摘持部２０６を含め、その外周部全域にわたり、対向端縁部２１ａの合わせ面に設けられている。カバー体２１では、目的ラインＲは、対向端縁部２１ａにおいて、突片２１４および摘持部２１６を含め、その外周部全域にわたり、対向端縁部２０ａの合わせ面に設けられている。
【００３０】
本実施形態における絶縁カバー２では、点検の際、作業者は、閉じられた状態の二つのカバー体２０，２１の隣接する対向端縁部２０ａ，２１ａの外面全体に沿って設けられた目的ラインＲ，Ｒが平行に位置しているか否かで、二つのカバー体２０，２１が正常に閉じられた状態であるか否かを路上から判断する。取付作業が正しく完了した場合には、図５に示すように、係止体２１５が係止穴２０５に嵌合することで、路上の作業者において、一方の目的ラインＲと、他方の目的ラインＲとが、対向端縁部２０ａ，２１ａの方向につながって二本合わせられて一本のラインのように見える。二つのカバー体２０，２１が不完全な状態で閉じられていると、目的ラインＲ，Ｒが離間する方向に離れて、作業者には、その間に隙間が生じて不完全な状態で閉じられていることが分かり、間接活線工具を用いて、修復することができる。
【００３１】
つぎに他の実施形態につき引下線（分岐線）接続箇所に使用される絶縁カバーについて説明する。引下線接続箇所では、送電線と低圧引下線とがコネクタによって分岐接続される。
【００３２】
図６および図７に示すように、この実施形態に係る絶縁カバー３は、同一色（例えば黒色）の略等脚台形状の輪郭を呈した二つのカバー体３０，３１と、両カバー体３０，３１を開閉可能に連結するヒンジ部３２とを備える。該二つのカバー体３０，３１は、前記ヒンジ部３２として、長辺（一方のカバー体３０の連結端縁部３０ｂと他方のカバー体３１の連結端縁部３１ｂ）を連結して構成されたヒンジ部３２を有し、該ヒンジ部３２を介して対称軸として対称位置に配置されている。二つのカバー体３０，３１は、ヒンジ部３２を介して開閉可能に構成され、一方のカバー体３０の対向端縁部３０ａと、他方のカバー体３１の他方の対向端縁部３１ａとが接離可能に構成される。なお、対向端縁部３０ａ，３１ａを水平に置いた場合に、連結端縁部３０ｂ，３１ｂは、略等脚台形状の長辺となり、対向端縁部３０ａ，３１ａは、略等脚台形状の短辺となる。
【００３３】
各カバー体３０，３１の中央部には、前記引下線接続箇所を覆うことができるよう、本体部３００，３１０と、該本体部３００，３１０を挟んだ両側のうちの一側に形成された送電線を引込むための略円錐台形状の引込部３０１，３１１と、他側に形成された略円錐台形状の引出部３０２，３１２であって、送電線と該送電線に分岐接続するための電線とを引出すための引出部３０２，３１２とを備える。本体部３００，３１０と、引込部３０１，３１１と、引出部３０２，３１２とは互いに連通している。
【００３４】
一方のカバー体３０の対向端縁部３０ａには、複数の突片３０４が、前記一方の対向端縁部３０ａの長手方向に離間して直交方向に外方に向かって一対で設けられている。他方のカバー体３１の対向端縁部３１ａには、複数の突片３１４が前記他方の対向端縁部３１ａに対し所定の間隔をおいて直交方向に外方に向かって突設されている。各突片３１４の内面には、係止穴３０５に係止可能な係止体３１５が突設されている。他方のカバー体３１の対向端縁部３１ａにおいて、突片３１４，３１４間には、間接活線工具により摘持される摘持部３１６が、突片３１４，３１４の延びる方向に沿って突設されている。
【００３５】
本実施形態では、目的ラインＲは、カバー体３０，３１の対向端縁部３０ａ，３１ａに沿って設けられている。目的ラインＲは、対向端縁部３０ａのエッジ部Ａおよび対向端縁部３１ａのエッジ部Ｂまで設けられている。カバー体３０では、目的ラインＲは、対向端縁部３０ａにおいて、突片３０４を含め、その外周部全域にわたり、対向端縁部３１ａの合わせ面に設けられている。カバー体３１では、目的ラインＲは、対向端縁部３１ａにおいて、突片３１４および摘持部３１６を含め、その外周部全域にわたり、対向端縁部３０ａの合わせ面に設けられている。
【００３６】
つぎに引下線接続箇所に使用される絶縁カバー３について説明する。引下線接続箇所では、露出させた送電線の芯線と、露出させた低圧引下線の芯線とがコネクタによって導通接続される。作業者は、間接活線工具を用いて、引下線接続箇所に対し、絶縁カバー３のヒンジ部３２を上側にし、一方のカバー体３０の対向端縁部３０ａおよび他方のカバー体３１の対向端縁部３１ａを下側にして、二つのカバー体３０，３１を上方から跨ぐように覆い被せ、一方のカバー体３０の各係止穴３０５に、他方のカバー体３１の各係止体３１５を係止させ、一方のカバー体３０の対向端縁部３０ａと他方のカバー体３１の他方の対向端縁部３１ａとを当接させる。
【００３７】
本実施形態における絶縁カバー３では、点検の際、作業者は、閉じられた状態の二つのカバー体３０，３１の隣接する対向端縁部３０ａ，３１ａの外面全体に沿って設けられた目的ラインＲ，Ｒが平行に位置しているか否かで、二つのカバー体３０，３１が正常に閉じられた状態であるか否かを路上から判断する。取付作業が正しく完了した場合には、図７に示すように、係止体３１５が係止穴３０５に嵌合することで、路上の作業者において、一方の目的ラインＲと、他方の目的ラインＲとが、対向端縁部３０ａ，３１ａの方向につながって二本合わせられて一本のラインのように見える。二つのカバー体３０，３１が不完全な状態で閉じられていると、目的ラインＲ，Ｒが離間する方向に離れて、作業者には、その間に隙間が生じて不完全な状態で閉じられていることが分かり、間接活線工具を用いて、修復することができる。
【００３８】
なお、本発明は、前記各実施形態に限定されるものではなく、種々変更することができる。
【００３９】
例えば、本発明の絶縁カバーは、前記実施形態では、一方のカバー体の目的ラインと他方のカバー体の目的ラインとで、絶縁カバーの閉じ状態において、一本のラインを形成する場合について説明した。しかしながら、少なくとも一方の目的ラインを、対向端縁部のエッジ部Ａから離間して設けてもよく、この場合、前記閉じ状態では、一方の目的ラインと他方の目的ラインとは、平行な二本のラインを形成する。このような場合でも、経年劣化や作業ミスで、対向端縁部同士の間に部分的に隙間ができたことを、前記平行状態がくずれていることにより容易に視認できる。
【００４０】
また、本発明の絶縁カバーは、前記実施形態では、二つの目的ラインＲ，Ｒを隣接する対向端縁部の外面全体に沿って設ける例示をした。しかしながら、隣接する対向端縁部の外面に対し、所定の長さの目的ラインＲを部分的に設けることが考えられる。例えば、所定長さの目的ラインを間隔をあけて複数本設けることで、破線状のラインを形成してもよい。要は、二つの目的ラインＲ，Ｒが一本のラインになっている状態、又は二つの目的ラインＲ，Ｒが平行に位置している状態を、路上から点検する作業者によって視認できればよい。
【００４１】
また、本発明の絶縁カバーは、前記実施形態では、電柱に架設される送電線に取付ける例示をした。しかしながら、天井内に配線される電線同士の接続箇所を絶縁保護する絶縁カバーにも適用できる。
【符号の説明】
【００４２】
１，２，３…絶縁カバー、１０，１１、２０，２１、３０，３１…カバー体、１０ａ，１１ａ，２０ａ，２１ａ，３０ａ，３１ａ…対向端縁部、１０ｂ，１１ｂ，２０ｂ，２１ｂ，３０ｂ，３１ｂ…連結端縁部、１２，２２，３２…ヒンジ部、１３，２３，３３…突片、１４，２４，３４…係止穴、１５，２５，３５…突片、１６，２６，３６…係止体、１７，２７，３７…摘持部、Ｒ…目的ライン、Ａ，Ｂ…エッジ部
【図１】
2019149910.tif 000003
【図２】
2019149910.tif 000004
【図３】
2019149910.tif 000005
【図４】
2019149910.tif 000006
【図５】
2019149910.tif 000007
【図６】
2019149910.tif 000008
【図７】
2019149910.tif 000009
【図８】
2019149910.tif 000010